(57)【要約】【課題】電子機器ラック内の必要な特定箇所を冷却することができる電子機器ラック用冷却ユニットを提供する。【解決手段】ペルチェ素子からなる冷却装置２を組み込んだ冷却ユニット１の左右両端に電子機器ラックの垂直柱状マウント部材への取付部１１ａを設けたものとする。これにより冷却ユニット１を冷却を必要とする機器を搭載した機器搭載ユニット５のみのに対応させて取り付けでき、電子機器ラック内の必要な特定箇所を冷却することができる。【選択図】　　図３
2004119569.tif 000002
【特許請求の範囲】
【請求項１】
ペルチェ素子からなる冷却装置を組み込んだ冷却ユニットの左右両端に電子機器ラックの垂直柱状マウント部材への取付部を設けたことを特徴とする電子機器ラック用冷却ユニット。
【請求項２】
冷却ユニットの左右方向の一方のスペースに冷却装置を配置し、他方のスペースには該冷却装置の駆動電源装置が組み込まれたことを特徴とする請求項１に記載の電子機器ラック用冷却ユニット。
【請求項３】
冷却ユニットを左右両端を反転させて電子機器ラックの垂直柱状マウント部材へ取り付け可能としたことを特徴とする請求項１又は２に記載の電子機器ラック用冷却ユニット。
【請求項４】
冷却装置から送りだされる冷却風を電子機器ラックに搭載した所定の機器搭載ユニットまで導く冷却ダクトを設けたことを特徴とする請求項１又は２又は３に記載の電子機器ラック用冷却ユニット。
【発明の詳細な説明】
【０００１】
【発明の属する技術分野】
本発明は、電子機器ラック内の特定箇所を局所的に冷却することができる電子機器ラック用冷却ユニットに関するものである。
【０００２】
【従来の技術】
【特許文献１】実開平６−２８５７３号公報
【０００３】
従来の電子機器ラック内に収納した機器の冷却は、ラック内全体に冷却空気を循環させて行うが普通であった。その代表的なもの上記の特許文献１に記載のように、冷却装置により冷却された空気を空気突出ファンで筐体内に送るものがある。
【０００４】
【発明が解決しようとする課題】
ところが、前記した特許文献１のものは、筐体全体を冷却することから大きな冷却能力の冷却機器や、筐体全体に冷風を循環させる構造が必要となりコストが高くなるという問題があった。また、冷却機器がコンプレッサ式の空気調和器では冷却器自体の取付スペースが筐体外に大きく必要となり、全体形状が大きくなり設置スペースを広くとる必要とする問題があった。
【０００５】
しかし、電子機器ラック内に収納した機器の中には冷却を必要とするものと不要なものがある。そこで、特に冷却を必要とする機器にのみ簡単に冷却できるように取り付けできる電子機器ラック用冷却ユニットが待望されている。
【０００６】
【課題を解決するための手段】
前記の待望に応えるためになされた本発明の電子機器ラック用冷却ユニットは、ペルチェ素子からなる冷却装置を組み込んだ冷却ユニットの左右両端に電子機器ラックの垂直柱状マウント部材への取付部を設けたことを特徴とするものを請求項１に記載の発明とし、この請求項１に記載の発明において、冷却ユニットの左右方向の一方のスペースに冷却装置を配置し、他方のスペースには該冷却装置の駆動電源装置が組み込まれたことを特徴とするものを請求項２に記載の発明とする。そして、前記の請求項１及び２の発明において、冷却ユニットを左右両端を反転させて電子機器ラックの垂直柱状マウント部材へ取り付け可能としたことを特徴とするものを請求項３に記載の発明とし、さらに、これらの発明において、冷却装置から送りだされる冷却風を電子機器ラックに搭載した所定の機器搭載ユニットまで導く冷却ダクトを設けたことを特徴とするものを請求項４に記載の発明とする。
【０００７】
本発明によれば、冷却ユニットの左右両端には電子機器ラックの垂直柱状マウント部材への取付部を設けてあるから、冷却ユニットは取付部をもって一対の垂直柱状マウント部材の任意の高さの取付位置に取り付けできるうえ、この冷却ユニットを取り付けた一対の垂直柱状マウント部材と対向している他の垂直柱状マウント部材に取り付けて電子機器ラックに搭載した冷却を必要とする機器搭載ユニットに対向させて取り付けることができるので、その機器搭載ユニットを的確に冷却できるものである。また、冷却ユニットの左右方向の一方にペルチェ素子からなる冷却装置を配置し、他方のスペースには該冷却装置の駆動電源装置が設けられているため、冷却風の吹き出し口が一方向に偏ることにより発熱機器への冷却風を集中させることができるうえ、電源と冷却装置を上下方向に配置したものに比べ、冷却ユニット自体の高さを低くすることも可能である。
【０００８】
さらに、冷却ユニットを左右両端を反転させて電子機器ラックの垂直柱状マウント部材への取り付け可能としたものとしたものであれば、冷却装置が冷却ユニットのケースの一方にある場合は反転させることにより機器搭載ユニット内の機器の配置に応じた冷却ができるものである。さらに、冷却装置から送りだされる冷却風を電子機器ラックに搭載した所定の機器搭載ユニットまで導く冷却ダクトを設けたものとすることにより、機器搭載ユニットと上下にずれた対向位置に冷却ユニットを設置しても冷却ダクトを介して冷却風を機器搭載ユニットに送りこみ発熱機器を的確に冷却することができるものである。
【０００９】
【発明の実施の形態】
次に、本発明の好ましい実施の形態を示す。
１は横長箱状としたケース１１にペルチェ素子２１からなる冷却装置２を組み込んだ冷却ユニットであり、該冷却ユニット１のケース１１の左右端には電子機器ラック４に立設した垂直柱状マウント部材であるマウントレール４１への取付部１１ａ、１１ａが設けられている。この冷却ユニット１のケース１１の左右方向の半分の一方のスペースにはペルチェ素子２１からなる冷却装置２の２機が他方のスペースには該冷却装置駆動用の駆動用電源装置３が組み込まれている。そして、冷却装置２と駆動用電源措置３の位置が左右逆の位置にできるように冷却ユニット１を左右両端を反転させて取付部１１ａ、１１ａをもって電子機器ラック４のマウントレール４１へ取り付け可能としている。なお、４３は電子機器ラック４の縦フレームである。
【００１０】
前記冷却装置２はペルチェ素子２１の前面側を冷却側に後面側を放熱側に形成して、該冷却側に冷却フィン２２を放熱側に放熱フィン２３を取り付け、さらに、冷却フィン２２の前面に冷却ファン２４を設けるとともに放熱フィン２３には放熱ファン２７を設けたものである。また、冷却フィン２２の前面には冷却ファン２４により送られる冷却風を所定の冷却箇所に導入する冷却ダクト２５が設けられている。また、放熱ファン２７の後部には排熱を電子機器ラック４の内部の上方に排気する排熱用ダクト２６が設けられている。
【００１１】
このように構成された本発明の電子機器ラック用冷却ユニットは、冷却ユニット１のケース１１の左右端に設けた取付部１１ａ、１１ａをもって電子機器ラック４の背面側の両側に立設した垂直柱状マウント部材であるマウントレール４１、４１の任意の高さ位置に取り付けする。すなわち、電子機器ラック４の正面側の両側に立設したマウントレール４２、４２に取り付けた冷却を必要とする機器搭載ユニット５と対向する位置の高さに取り付けるか、その高さの背面側に他の機器が設置されている場合にはその上下の高さの位置に取り付ける。
【００１２】
そして、冷却ユニット１が機器搭載ユニット５と同一の高さに設置したものである場合は冷却装置２に臨む機器搭載ユニット５の背面側を開放状態に形成するか通気孔を設けたものとして該冷却装置２の冷却ファン２４により機器搭載ユニット５の発熱機器に冷却風を送り込むものである。この場合、冷却フィン２２の前面に冷却ファン２４により送られる冷却風を所定の冷却箇所に導入する冷却ダクト２５を設けたものとすれば冷却風は確実に発熱機器を冷却することとなる。なお、冷却ユニットが機器搭載ユニット５の背面の上下位置に取り付けたものである場合には、冷却ダクト２５をフレキシブルなものとすることにより機器搭載ユニット５の背面に臨ませることができ確実に冷却風を機器搭載ユニット５内に導くことができる。また、冷却ユニット１の左右方向の一方にペルチェ素子２１からなる冷却装置２を配置し、他方のスペースには該冷却装置２の駆動電源装置３が設けられているため、冷却風の吹き出し口が一方向に偏ることにより発熱機器への冷却風を集中させることができるうえ、電源と冷却装置を上下方向に配置したものに比べ、冷却ユニット自体の高さを低くすることも可能である。
【００１３】
さらに、冷却装置２と駆動用電源措置３の位置が左右逆の位置にすることができるように冷却ユニット１の左右両端を反転させて電子機器ラック４のマウントレール４１への取り付け可能としているので、機器搭載ユニット５に搭載した発熱機器が左右逆の場合にも冷却ユニットを左右反転するだけで対応できるものである。この場合に、排熱用ダクト２６の取付方向を逆として上方を向くようにするのは勿論である。
【００１４】
また、放熱フィン２３の後部には排熱を電子機器ラック４の上方に排気する排熱用ダクト２６が設けられているので排気は上方に、吸気は電子機器ラック４の下方、側方から入ることとなるようにガイドを設け、また、冷却側の吸気も電子機器ラック４の下方、側方から入れるようにガイドして、発熱側の排気と混ざらないようにして冷却の効率が落ちないようにしてある。さらに、冷却ユニットは電子機器ラック４に多数搭載した機器搭載ユニット５の冷却を必要とするものが複数ある場合にはそれぞれに対応させて複数設置するものである。この場合にはダクトにより排気熱を電子機器ラック４の天井面付近に送り、天井面に設けたファンでこの排気熱を外に逃がす。なお、天井面に排気熱を誘導することなくダクトにより直接電子機器ラック４の外部に放出してもよい。
【００１５】
また、この実施形態にでは、冷却ユニット１が取り付けられているマウントレール４１と機器搭載ユニットが取り付けられているマウントレール４２の取付孔のピッチは同じであるが、マウントレール４１に配線ダクト等を取り付けるための取付孔を設けたものでは取付孔のピッチがマウントレール４２と異なるので、マウントレール４１にマウントレール４２と同じ取付孔ピッチを持つ取付補助部材を取り付け、該取付補助部材を介して冷却ユニット１をマウントレール４１に取り付けることにより、機器搭載ユニットと冷却ユニットとを同じ高さに取り付けることが可能である。また、冷却ユニット１を取り付ける垂直柱状マウント部材は電子機器ラックの縦フレーム４３であってもよい。この実施形態にあっては、冷却ユニット１を電子機器ラック４の背面側に設置すべき電子機器ラック４の背面側の両側に立設したマウントレール４１、４１に取り付けているが、前後のマウントレール４１、４２に取り付けて電子機器ラックの左右側面に設置してもよいことは勿論であり、この場合は機器搭載ユニット５の左右側面に冷却風が導入できるように開放状態に形成するか通気孔を設けたものとしておくことは勿論である。
【００１６】
【発明の効果】
以上に説明したように、本発明の電子機器ラック用冷却ユニットは、冷却ユニットの左右両端には電子機器ラックの垂直柱状マウント部材への取付部を設けてあるから、冷却ユニットは垂直柱状マウント部材の任意の高さのところに取り付けできるので、電子機器ラックに搭載した冷却を必要とする機器搭載ユニットに対向させて取り付けることができるので、冷却能力の小さなペルチェ素子を用いた冷却装置であっても機器搭載ユニットを的確に冷却できるものである。
よって、本発明は従来の電子機器ラック用冷却ユニットの問題点を解決したもので、業界にもたらす益大なものである。
【図面の簡単な説明】
【図１】本発明の実施形態を示す概略的な平面図である。
【図２】本発明の実施形態を示す概略的な側面図である。
【図３】本発明の実施形態を電子機器ラックの外郭を省略して示す一部切欠斜視図である。
【図４】本発明の冷却ユニットの正面図である。
【符号の説明】
１　冷却ユニット
１１　ケース
１１ａ　　取付部
２　冷却装置
２１ペルチェ素子
２５　冷却ダクト
４　電子機器ラック
４１　マウントレール
５　機器搭載ユニット
【図１】
2004119569.tif 000003
【図２】
2004119569.tif 000004
【図３】
2004119569.tif 000005
【図４】
2004119569.tif 000006